(57)【特許請求の範囲】
【請求項１】
少なくとも４つのパイプ部分（７−９）を備える折りたたみ式ポール（１）であって、前記パイプ部分（７−９）が、前記折りたたみポール（１）の組み立て状態においてポール軸（３２）に沿って整列し、同時に差し込み式接続により互いと接続されており、少なくとも２つのパイプ部分（８，８’，９）は、折りたたまれた状態において可動接続要素（１６）により互いに接続されたままであり、一番上のパイプ部分（７）にはポール取っ手部（２）が配置され、一番下のパイプ部分（９）にはポール先端部（２３）が配置される折りたたみ式ポールにおいて、
前記差し込み式接続の少なくとも１つが、外部クランプ機構（１０）により実現され、このクランプ機構（１０）は第１のパイプ部分（７）に固定され、前記第１のパイプ部分（７）の内径より小さいか又はほぼ同じ外径を有し、それ自体可動であるように前記第１のパイプ部分（７）内で支持される第２のパイプ部分（８）を、前記外部クランプ機構（１０）により相対的な軸方向位置で固定することができ、又は
前記差し込み式接続の少なくとも１つが、第２のパイプ部分（８）上のスナップ式係止装置（５０）により実現され、この第２のパイプ部分（８）が、第１のパイプ部分（７）の内径より小さいか又はほぼ同じ外径を有し、前記第１のパイプ部分（７）に滑り込ませることができ、前記スナップ式係止装置により相対的な軸方向位置で固定することができ、
前記その他の差し込み式接続が、純粋な差し込み式接続として構成され、この接続では、パイプ部分（８，８’，９）を接続した状態で、軸方向にのみ固定され、
前記その他の差し込み式接続が、一方のパイプ部分に、前記引っ張りケーブル（１６）のための軸方向に延びる中央貫通口を設けたガイドピン（１７）を有するように構成され、このガイドピン（１７）は、このパイプ部分に固定部分（３７）を用いてしっかりと固定され、及び、これに軸方向反対側に、もう一方のパイプ部分に滑り込ませることができるピン領域（４９）を有し、固定部分（３７）とピン領域（４９）の間には、環状の放射状外側に向いた接触フランジ（２１）が設けられ、組み立てた状態で前記もう一方のパイプ部分のパイプ端及び／又はその上に設けられるパイプ閉鎖スリーブ（１９）と軸方向に接触し、
前記パイプ部分（７−９）が、少なくとも１つの引っ張りケーブル（１６）により互いに接続され、このケーブルは、前記一番下のパイプ部分（９）と前記第１のパイプ部分（７）に留め付けられており、且つ、前記少なくとも２つの中間パイプ部分（８，８’）の内部（３１）を通り抜けるように配置され、及び
前記折りたたみ式ポール（１）は、折りたたみ式ポールが前記その他の差し込み式接続を接続し、その後、前記外部クランプ装置（１０）を解除するか又は前記スナップ式係止装置（５０）を解除して、前記引っ張りケーブル（１６）が張力を受けるまで前記第２のパイプ部分（８）を前記第１のパイプ部分（７）から引き出し、前記外部クランプ機構（１０）又は前記スナップ式係止装置（５０）を固定することにより、折りたたまれた状態から組み立てられた状態へと移行できる、ことを特徴とする折りたたみ式ポール。
【請求項２】
前記第１のパイプ部分（７）が一番上のパイプ部分であり、前記第２のパイプ部分（８）がこれに下方に隣接する第１の中間パイプ部分（８）であり、前記少なくとも１つの差し込み式接続が、外部クランプ機構（１０）により実現されることを特徴とする、請求項１に記載の折りたたみ式ポール。
【請求項３】
前記第１のパイプ部分（７）が一番上又は上から２番目のパイプ部分であることを特徴とする、請求項１に記載の折りたたみ式ポール。
【請求項４】
前記第１のパイプ部分（７）が一番上又は上から２番目のパイプ部分であり、前記第２のパイプ部分（８）がこれに下方に隣接する第１の中間パイプ部分（８）であり、前記少なくとも１つの差し込み式接続が、スナップ式係止装置（５０）により実現されることを特徴とする、請求項１に記載の折りたたみ式ポール。
【請求項５】
前記第１のパイプ部分（７）が一番上又は上から２番目のパイプ部分であり、前記第２のパイプ部分（８）がこれに下方に隣接する第１の中間パイプ部分（８）であり、前記少なくとも１つの差し込み式接続が、スナップ式係止装置（５０）により実現され、このスナップ式係止装置（５０）は、バネ要素（５２）の作用に対抗して前記第２のパイプ部分（８）の半径方向の貫通穴（５３）を突き抜けて保持される、バネ荷重された変形方向の係止ピン（５１）を有することを特徴とする、請求項１に記載の折りたたみ式ポール。
【請求項６】
前記その他の差し込み式接続が、関連のパイプ部分の前記ポール軸周りの相対的ねじりに対し、軸方向の停止位置で固定されるように構成されることを特徴とする、請求項１〜５のいずれかに記載の折りたたみ式ポール。
【請求項７】
前記その他の差し込み式接続が、差し込み式接続部が互いに押し込まれると自動的にロックする係合接続を保証することにより、関連のパイプ部分の前記ポール軸周りの相対的ねじりに対し、軸方向の停止位置で固定されるように構成されることを特徴とする、請求項１〜６のいずれかに記載の折りたたみ式ポール。
【請求項８】
前記係合接続は、軸方向の停止位置にて、２つの接続されたパイプ部分の接触する領域（２０，２２）が前記ポール軸（３２）周りに非対称に構成されることを特徴とする、請求項７に記載の折りたたみ式ポール。
【請求項９】
前記係合接続は、軸方向の停止位置にて、２つの接続されたパイプ部分の接触する領域（２０，２２）が前記ポール軸（３２）周りに非対称に構成され、前記接触する前記領域（２０，２２）が、ほぼ軸方向に向く停止面（２０，２２）及び／又は差し込み式接続部の放射状に接触する領域（４４−４８）を有することによって保証されることを特徴とする、請求項７又は８に記載の折りたたみ式ポール。
【請求項１０】
前記係合接続は、軸方向に向いた停止面（２０，２２）が、対応して、ギザギザ、波形、斜めの、及び／又は、１以上の溝に係合する横ピンを備えた構造であることにより実現されることを特徴とする、請求項７〜９のいずれかに記載の折りたたみ式ポール。
【請求項１１】
前記パイプ部分（７−９）が、組み立てた状態において、前記一番上の中間パイプ部分（８）を前記一番上のパイプ部分（７）にほぼ完全に挿入することができるような寸法であることを特徴とする、請求項１〜１０のいずれかに記載の折りたたみ式ポール。
【請求項１２】
前記引っ張りケーブル（１６）は、前記一番下のパイプ部分（９）及び／又は前記一番上のパイプ部分（７）に、引っ張りケーブル（１６）が留め付けられる軸方向に固定された保持要素（２７，３７）を設けることにより固定されることを特徴とする、請求項１〜１１のいずれかに記載の折りたたみ式ポール。
【請求項１３】
前記引っ張りケーブル（１６）は、前記一番下のパイプ部分（９）及び／又は前記一番上のパイプ部分（７）に、引っ張りケーブル（１６）が留め付けられる軸方向に固定された保持要素（２７，３７）を設けることにより固定され、この固定が、折りたたみ式ポールの調節可能な長さのために変えられることを特徴とする、請求項１〜１２のいずれかに記載の折りたたみ式ポール。
【請求項１４】
前記引っ張りケーブル（１６）は、前記一番下のパイプ部分（９）及び／又は前記一番上のパイプ部分（７）に、引っ張りケーブル（１６）が留め付けられる軸方向に固定された保持要素（２７，３７）を設けることにより固定され、この固定が、組み立てた状態において軸方向で前記保持要素（２７，３７）と接触するほどくことのできる結び目（３０）により、折りたたみ式ポールの調節可能な長さのために変えられることを特徴とする、請求項１〜１３のいずれかに記載の折りたたみ式ポール。
【請求項１５】
前記保持要素（２７，３７）が、前記引っ張りケーブル（１６）のための軸方向貫通口（３６）を有する閉鎖要素（５６）を有し、この閉鎖要素は、前記保持要素（３７）の上端に、取り外し可能に固定することができることを特徴とする、請求項１２〜１４のいずれかに記載の折りたたみ式ポール。
【請求項１６】
前記保持要素（２７，３７）が、前記引っ張りケーブル（１６）のための軸方向貫通口（３６）を有する閉鎖要素（５６）を有し、この閉鎖要素は、前記保持要素（３７）の上端に、ねじ込み可能に又は取り外し可能に係止することができることを特徴とする、請求項１２〜１５のいずれかに記載の折りたたみ式ポール。
【請求項１７】
前記保持要素（２７，３７）上での前記引っ張りケーブル（１６）の固定は、弾性的にバネが付けられるように構成されることを特徴とする、請求項１２〜１６のいずれかに記載の折りたたみ式ポール。
【請求項１８】
前記保持要素（２７，３７）上での前記引っ張りケーブル（１６）の固定は、保持要素内に、その内部を通って引っ張りケーブル（１６）が延びるように配置される渦巻きバネ（３９）を設けることにより、弾性的にバネが付けられるように構成されることを特徴とする、請求項１２〜１７のいずれかに記載の折りたたみ式ポール。
【請求項１９】
前記保持要素（２７，３７）上での前記引っ張りケーブル（１６）の固定は、弾性的にバネが付けられるように構成され、前記引っ張りケーブル（１６）が、少なくとも部分的に、長手方向の長さ全体に渡って、弾性的又は引っ張り抵抗があり非弾性的であるように構成されることを特徴とする、請求項１２〜１８のいずれかに記載の折りたたみ式ポール。
【請求項２０】
固定部分（３７）とピン領域（４９）の間に設けられる、前記環状の放射状外側に向いた接触フランジ（２１）が、組み立てた状態で前記もう一方のパイプ部分のパイプ端及び／又はその上に設けられるパイプ閉鎖スリーブ（１９）と軸方向に接触し、ポール軸の周りに非対称に構成されることを特徴とする、請求項１〜１９のいずれかに記載の折りたたみ式ポール。
【請求項２１】
前記その他の差し込み式接続の前記ピン領域（４９）が、前記もう一方のパイプ部分の方を向くその端部に、少なくとも部分的に円錐に先細る領域（１８）を有することを特徴とする、請求項１〜２０のいずれかに記載の折りたたみ式ポール。
【請求項２２】
前記ポール先端部が、非対称に構成されることを特徴とする、請求項１〜２１に記載の折りたたみ式ポール。
【請求項２３】
前記ポール先端部が、ポールの先端部に、ポール軸（３２）に関し非対称である減衰緩衝器（２５）を回転しないように固定することによって、及び／又は、ポールの取っ手（２）をポール軸に関し非対称に構成することによって、非対称に構成されることを特徴とする、請求項１〜２２に記載の折りたたみ式ポール。
【請求項２４】
前記ポール取っ手部（２）は、手保持装置を固定するためのフック状の装置（３）を有し、前記フック状の装置（３）の領域において、移動可能な又はねじり可能な係合手段が、前記フック状の装置（３）にほぼ上から滑り込ませた、前記手保持装置に設けられるループ状の、リング状の、又はアイレット状の装置を前記フック状の装置（３）に自己係合的に固定するように配置されることを特徴とする、請求項１〜２３のいずれかに記載の折りたたみ式ポール。
【請求項２５】
前記ポール取っ手部（２）は、ハンドループ又はグローブの形をした手保持装置を固定するためのフック状の装置（３）を有し、前記フック状の装置（３）の領域において、移動可能な又はねじり可能な係合手段が、前記フック状の装置（３）にほぼ上から滑り込ませた、前記手保持装置に設けられるループ状の、リング状の、又はアイレット状の装置を前記フック状の装置（３）に自己係合的に固定するように配置されることを特徴とする、請求項２４に記載の折りたたみ式ポール。
【請求項２６】
前記ポール取っ手部（２）は、ハンドループ又はグローブの形をした手保持装置を固定するためのフック状の装置（３）を有し、前記フック状の装置（３）の領域において、移動可能な又はねじり可能な係合手段が、前記フック状の装置（３）にほぼ上から滑り込ませた、前記手保持装置に設けられるループ状の、リング状の、又はアイレット状の装置を前記フック状の装置（３）に自己係合的に固定するように配置され、前記フック状の装置（３）が前記ポール取っ手部（２）の手側の上部領域に配置され、さらに、前記フック状の装置が、ポール軸にほぼ平行に配置される保持心棒又は保持ピンを有し、これは挿入スロット（４）を形成するために前記取っ手部本体から手側にずれて配置され、又は取っ手部本体（４）内の切り込みとして配置され、前記挿入スロットの深さが、前記保持心棒（３）又は保持ピンの幅及び太さより大きいことを特徴とする、請求項１〜２５のいずれかに記載の折りたたみ式ポール。
【請求項２７】
前記ポール先端部が、先端部本体と緩衝器とを有し、前記先端部本体及び／又は前記ポール本体の最下部が前記緩衝器（２５）の中央開口部を通り抜けて延びるように配置され、前記緩衝器（２５）は、この中央開口部内の前記ポール本体に対し軸方向に固定できるように移動可能に取り付けられ、前記緩衝器は、係合接続によりポール本体に関して軸方向に異なる少なくとも２つの位置にて固定でき、前記先端部本体がラッチ連結リンクを有し、このラッチ連結リンクに、前記緩衝器に取り付けられたラッチ本体が軸方向の位置を固定するために確実に係合でき、前記ラッチ本体は、旋回可能に及び／又は移動可能に及び／又は固定して、前記緩衝器の中又は前記緩衝器上に取り付けられ、前記ラッチ本体は、外側にヒンジ付けされたラッチレバー（２６）の形で構成され、前記ラッチレバー（２６）は、前記緩衝器の非対称な転がり面の方を向くその下端で外側スリーブにヒンジ付けされ、その上端で、前記緩衝器の固定位置にて、前記ポールパイプ（９）及び／又は内側スリーブを少なくとも部分的に係合的に取り巻き、解除するには外側スリーブから離れる方へ旋回させることができることを特徴とする、請求項１〜２６のいずれかに記載の折りたたみ式ポール。
【請求項２８】
前記ポール先端部が、先端部本体と緩衝器とを有し、前記先端部本体及び／又は前記ポール本体の最下部が前記緩衝器（２５）の中央開口部を通り抜けて延びるように配置され、前記緩衝器（２５）は、この中央開口部内の前記ポール本体に対し軸方向に固定できるように移動可能に取り付けられ、前記緩衝器は、係合接続によりポール本体に関して軸方向に異なる少なくとも２つの位置にて固定できることを特徴とする、請求項１〜２６のいずれかに記載の折りたたみ式ポール。
【請求項２９】
前記ポール先端部が、先端部本体と緩衝器とを有し、前記先端部本体及び／又は前記ポール本体の最下部が前記緩衝器（２５）の中央開口部を通り抜けて延びるように配置され、前記緩衝器（２５）は、この中央開口部内の前記ポール本体に対し軸方向に固定できるように移動可能に取り付けられ、前記緩衝器は、係合接続によりポール本体に関して軸方向に異なる少なくとも２つの位置にて固定できることを特徴とする、請求項２２又は２３に記載の折りたたみ式ポール。
【請求項３０】
前記外部クランプ装置が、少なくとも軸方向部分において前記パイプ部分（７）をほぼ直接的に取り巻き、且つ、閉鎖状態において締め付けるプラスチックスリーブ（１３）を備え、このプラスチックスリーブ（１３）は、少なくとも、前記パイプ部分を取り巻く領域に、前記プラスチックスリーブの周囲をこの領域で可変とする、少なくとも1つの軸方向のスロットを有し、且つ、残っている軸方向領域においてほぼ環状になるように構成され、前記プラスチックスリーブのこのスロットの両側には、それぞれ１つの突起が配置され、これらの突起は、前記パイプ部分（７）の軸（３２）にほぼ垂直に配置される同軸の貫通穴を有し、この穴を通って、横ピン（１２）が係合し、このピンは、第２の突起の外側に停止部を有し、且つ、第1の突起の外側に、前記横ピン（１２）の軸に垂直で前記パイプ部分（７）の軸（３２）に平行に配置されるクランプレバー（１１）用の旋回軸を有し、前記クランプレバー（１１）は、レバーアームを有し、このレバーアームは、クランプ装置が閉じられると、プラスチックスリーブを少なくとも部分的に取り巻き、前記クランプレバー（１１）は、回転軸の周りに偏心する回転領域を有し、この手段により、前記停止部と、第1の突起の外側に配置されるクランプ用の合わせ面との間の距離を、前記クランプレバー（１１）を閉鎖位置に旋回することによって減らすことができることを特徴とする、請求項１〜２９のいずれかに記載の折りたたみ式ポール。
【請求項３１】
前記外部クランプ装置が、少なくとも軸方向部分において前記パイプ部分（７）をほぼ直接的に取り巻き、且つ、閉鎖状態において締め付けるプラスチックスリーブ（１３）を備え、このプラスチックスリーブ（１３）は、少なくとも、前記パイプ部分を取り巻く領域に、前記プラスチックスリーブの周囲をこの領域で可変とする、少なくとも1つの軸方向のスロットを有し、且つ、残っている軸方向領域においてほぼ環状になるように構成され、前記プラスチックスリーブのこのスロットの両側には、それぞれ１つの突起が配置され、これらの突起は、前記パイプ部分（７）の軸（３２）にほぼ垂直に配置される同軸の貫通穴を有し、この穴を通って、横ピン（１２）が係合し、このピンは、第２の突起の外側に停止部を有し、且つ、第1の突起の外側に、前記横ピン（１２）の軸に垂直で前記パイプ部分（７）の軸（３２）に平行に配置されるクランプレバー（１１）用の旋回軸を有し、前記クランプレバー（１１）は、レバーアームを有し、このレバーアームは、クランプ装置が閉じられると、プラスチックスリーブを少なくとも部分的に取り巻き、前記クランプレバー（１１）は、回転軸の周りに偏心する回転領域を有し、この手段により、前記停止部と、第1の突起の外側に配置されるクランプ用の合わせ面との間の距離を、前記クランプレバー（１１）を閉鎖位置に旋回することによって減らすことができ、前記合わせ面は、第１の突起の凹所内に少なくとも部分的に配置される金属要素（３３）の形で構成され、前記合わせ面は、平面として、又は、曲率半径が前記回転領域の曲率半径にほぼ適合する陥凹面として構成され、前記プラスチックスリーブがその上部部分に、少なくとも２つ、又は少なくとも３つの軸方向に延びるスロットを有し、これらのスロットのうち少なくとも１つは、前記２つの突起の間に配置され、及び、これらのスロットは、外周の周りに均一に配分され、及び／又は、前記停止部が、調節可能に構成され、前記停止部はねじ山を備えた構造であり、前記横ピン（１２）はこれにかみ合うねじ山を備えた構造であり、前記停止部は、ナット又はねじとして構成され、環状のギザギザ構造及び／又はくし状及び／又は調節道具の係合のための溝を備えた構造であることを特徴とする、請求項１〜３０のいずれかに記載の折りたたみ式ポール。
【請求項３２】
さらに、長さ調節機構を有することを特徴とする、請求項１〜３１のいずれかに記載の折りたたみ式ポール。
【請求項３３】
さらに、ポールの長さ調節のために力嵌めにより作用する外部クランプ機構からなる、長さ調節機構を有することを特徴とする、請求項１〜３２のいずれかに記載の折りたたみ式ポール。
【発明の詳細な説明】
【技術分野】
【０００１】
本発明は、ハイキング、ノルディックウォーキング用のポールの分野に関し、さらに、広い意味で、クロスカントリースキー又はアルペンスキー等の他の種類のスポーツ、登山等のためのポールの分野に関する。
【背景技術】
【０００２】
長さを調節できるポール構造は、特に（しかしながらそれだけではないが）、ハイキング又はノルディックウォーキングの分野から公知である。この調節機能は、一方で、ポールの長さを要求に合わせて調節できるように、他方で、ポールを出来るだけ小さいパックサイズまで小さくする、つまり、例えばリュックサック等にポールをしまい込めるよう長さを縮小できるように構成するために用いられる。このような構造では、小さい直径を有するいわゆる内側パイプが、いくらか大きな直径を有する外側パイプに移動可能に取り付けられており、パイプ部分の相対的な位置を、固定メカニズムにより固定することができる。このような構造は、例えば、特許文献１、２、又は３から公知である。
【０００３】
このような構造を用いる場合、個々のパイプ部分が異なる直径を有することが基本で、加えて、特にパックサイズを小さくできるように、パイプを互いの中に実に広範囲にわたって動かせることが保証されなければならない。
【０００４】
従って、ポールは、とりわけ、最も細いパイプが通常配置される下部領域で非常に細くなり、それにより、用途によっては、十分な固有剛性をもたず、さらに、これらの文献で開示された構造は、個々のポールパイプ部分の相対位置が、これらのポールパイプの部分を互いに対してねじる（適当な回転力を手で加えなければならない）ことにより保証されなければならないため、多くは、使用者にあまり歓迎されていない。
【０００５】
異なるパイプ部分の軸方向の位置の相対的な固定を、内部固定メカニズムによって得るのではない代替のメカニズムは、例えば、特許文献４又は５又は６又は７から公知であるが、これらの外部構造は、多くの場合、２つより多いポールパイプを互いの中に移動可能に取り付けるには適しておらず、その結果、十分に小さなパックサイズとはならない。
【先行技術文献】
【特許文献】
【０００６】
【特許文献１】ＤＥ  ２９７  ０６  ８４９
【特許文献２】ＤＥ  ４９７  ０８  ８２９
【特許文献３】ＥＰ  １  ４５０  ９０６
【特許文献４】ＷＯ  ２０１０／０８５９０５
【特許文献５】ＤＥ  ６９４  ０１  ７６５
【特許文献６】ＥＰ  １  ２１７  ２２４
【特許文献７】ＥＰ  ０９８  ８９８
【発明の概要】
【発明が解決しようとする課題】
【０００７】
従って、特に、本発明の目的は、例えば、リュックサック又はバッグの中にしまえるように、できるだけ小さく折りたたむことのできる、構造上単純で、それゆえ頑丈な折りたたみ式ポールを提供することである。
【課題を解決するための手段】
【０００８】
本発明のこの目的は、請求項１の特徴を有する折りたたみ式ポールによって解決される。
【０００９】
具体的には、本発明は、特に、少なくとも３つ、しかしながら通常、少なくとも４つ又はちょうど４つのパイプ部分を有する折りたたみ式ポールを改良することに関し、前記パイプ部分が、折りたたみ式ポールを組み立てた状態において、ポール軸に沿って整列されると同時に差し込み式接続を用いて互いに接続され、少なくとも２つ又は通常少なくとも３つ又はちょうど３つのパイプ部分は、折りたたまれた状態でもなお、通常引っ張りケーブルの形をした可動接続要素を用いて、互いに接続されている。
【００１０】
通常、ポールの取っ手部は、一番上のパイプ部分に取り付けられ、ポールの先端部は一番下のパイプ部分に配置される。特に、しかしながら専らというわけではないが、本発明は、ポールの取っ手部及び／又はポールの先端部が非対称的に構成され、そのためパイプ部分の相対的な回転位置が重要となる構造の改良に関する。
【００１１】
本発明は、特に、差し込み式接続の少なくとも１つが、外部クランプ機構によって実現され、このクランプ機構は第１のパイプ部分に固定され、及び、第１のパイプ部分の内径より小さいか又はほぼ同じ外径を有し、且つ、それ自体が可動であるように第１のパイプ部分内で支えられる第２のパイプ部分が、前記外部クランプ機構によって相対的な軸方向位置で固定され得ることを特徴とするか、あるいは、本発明は、差し込み式接続の少なくとも１つが、第２のパイプ部分上のスナップ式（positive  snap-in）係止装置によって実現され、前記第２のパイプ部分は、第１のパイプ部分の内径より小さいか又はほぼ同じ外径を有し、前記第１のパイプ部分に滑る込ませることができ、スナップ式係止装置により、相対的な軸方向位置で固定され得ることを特徴とする。
【００１２】
さらに、本発明の構造は、好ましくは、その他の差し込み式接続が、純粋な差し込み式接続として構成され、パイプ部分を、接続した状態において1つの軸方向でのみ固定されることを特徴とする。
【００１３】
さらに、本発明の構造は、好ましくは、前記パイプ部分が、少なくとも１つの引っ張りケーブルにより互いに接続され、このケーブルが、一番下のパイプ部分に固定されており、一番上のパイプ部分に固定されており、及び、少なくとも２つの中間パイプ部分の内部を通り抜けるように配置されることを特徴とする。
【００１４】
これにより、折りたたみ式ポールは、その他の差し込み式接続を接続し、その後、外部クランプ機構を解除するか、又はスナップ式係止装置を解除して、引っ張りケーブルが張力を受ける状態になるまで、第１のパイプ部分から第２のパイプ部分を引き出し、前記外部クランプ機構又は前記スナップ式係止装置を固定することによって、折りたたんだ状態から組み立てた状態へと移ることができるように構成される。
【００１５】
言い換えれば、このような折りたたみ式ポールが、上記のような外部クランプ装置を有する場合、ポールを使用のための長さを調節できるように構成するには、通常、引っ張りケーブルの長さ又は各末端パイプ部分での引っ張りケーブルの留め付けがそれ自体可変であるように構成されるしかない。
【００１６】
その際、引っ張りケーブルは、一番下のパイプ部分を一番上のパイプ部分に関し軸方向に締め付け、それにより、言い換えれば、１つの軸方向でのみ互いに対し固定されているその他の差し込み式接続を、もう一つの軸方向で互いに対し固定するように、ある程度は機能する。これにより、単純で非常に頑丈な構造となり、例えば、これらのその他の差し込み式接続を用いて、互いと接続することができる下部パイプ部分に、同じパイプ径をもたせることができる。従って、全てのパイプ部分を互いに対し相対的に移動可能に取り付けて、互いに挿入し合うといった構造に対し、ここで提案する構造は、外部クランプ装置が実現されるために、実際に、例えば、上２つのパイプ部分を異なる径で構成するだけでよく、他のパイプ部分は同じ直径を有することができるといった構造方式が可能となる。それゆえ、材料及び製造コストを削減することができ、とりわけ、すべての下部パイプ部分に対して、最適な直径を用いることができる。このような構造でなければ、特に最下部分において、多くの用途に対し不適なパイプ断面をもたらすのに対して、本構造方式においては、前記差し込み式接続の結果、そういうことにはならない。とは言うものの、通常好ましいように、例えば、一番下のパイプ部分を普通にダブルバテッドに構成することもできる。
【００１７】
第１の好ましい実施形態は、第１のパイプ部分が一番上のパイプ部分であって、第２のパイプ部分がその下方に隣接する第１の中間パイプ部分であることを特徴とする。これにより、特に取り扱いが簡単となり、さらに、この構成では、一番上のパイプ部分が、通常、最大径をもち、はるか上方にクランプ機構があるため、ポール軸に沿って理想的な重量配分が生まれる。ケーブル張力のためにスナップ式係止装置を用いる場合、第１のパイプ部分は、好ましくは、一番上又は上から二番目のパイプ部分であり、第２のパイプ部分は、これに下方に隣接する第１の中間パイプ部分である。好ましい実施形態によると、このスナップ式係止装置は、好ましくは、バネ荷重された半径方向の係止ピンを有し、この係止ピンは、バネの作用に対抗して第２のパイプ部分の半径方向の貫通穴を突き抜けて保持される。バネ要素は、好ましくは板バネ、例えば、有利には、第１の端部に係止ピンが固定された、例えばリベット留めされたバネ板である。この場合、板バネの第２の端部は、好ましくは、ポールの長手方向軸に沿って配置される終端ピンの路内に自己拘束的に突入する。この自己拘束性は、例えば、バネ板の場合、その第２の端部に配置されるとげのあるフックを用いて得られる。しかしながら、板バネの端部を、他の固定方法で終端ピンに接続することもできるし、又はこの中に埋め込むこともできる。これは、例えば、終端ピンの材料で板バネをオーバーモールド成形することによって、又は、設けられた路内に板バネを接着することにより達成することができる。終端ピンは、好ましくは、第２のパイプ部分の上部部分に保持される。特に好ましい実施形態によると、終端ピンは、そのヘッドを第１のパイプ部分に押し込まれて固定され、第２のパイプ部分の上端に載るカラーを有する。好ましくは、カラーの下方に隣接する終端ピンのネック部が、第２のパイプ部分の、第１のパイプ部分と第２のパイプ部分が重なる領域に押し込まれる。
【００１８】
さらなる好ましい実施形態は、前記その他の差し込み式接続が、好ましくは、ねじりに関し係合接続（positive  connection）であって、さらに好ましくは差し込み式接続部が軸方向にともに押しいれられると自動的にロックする係合接続が確保されることによって、軸方向の停止位置で、それにより接続されるパイプ部分のポール軸周りの相対的なねじりに対し固定されるように構成されることを特徴とする。このことは、例えば、ポールの先端部及びポールの取っ手部が共に非対称である、つまりそれぞれ走行方向において特異的に構成される場合、特に重要である。差し込み式接続部が非対称的に構成されず、それゆえに、相対的なねじりに対して固定されないと、使用時、又は引っ張りケーブルに十分に大きな張力がかかっていない場合、下部の差し込みパイプ部分が互いに対しねじれてしまうことを排除することができない。これは、使用にとって極めて好ましくない。言い換えると、この回転固定された構成により、下部パイプ部分が軸方向の停止状態にあるとき、互いに対して相対的に回転しないよう固定されることが保証される。その際、この構造方法では、ポール先端部とポール取っ手部の正確な相対的回転位置は、この回転位置を、引っ張りケーブルが引っ張られている状態で外部クランプ機構を固定することにより、すなわち、上から２番目のパイプに対する一番上のパイプの回転位置を固定することにより正確に調節することによって、組み立て時に調節される。
【００１９】
このような係合接続は、例えば、軸方向の停止位置において、２つの接続されたパイプ部分の接触する領域がポール軸周りに非対称的に構成され、この接触する領域が、好ましくは、実質的に軸方向に向く停止面及び／又は差し込み式接続部の放射状に接触する領域を有することによって保証され得る。
【００２０】
この係合接続は、好ましくは、軸方向に向いた停止面が、対応して、ギザギザ、波形、斜め、及び／又は、１以上の溝に係合する横ピンを備えた構造であることにより実現される。
【００２１】
さらなる好ましい実施形態は、パイプ部分が（特に長さに関し、及び、特に一番上のパイプ部分に上から２番目のパイプ部分を挿入できる深さに関し）、組み立てた状態で、一番上の中間パイプ部分が、一番上のパイプ部分に、ほぼ完全に、又は、短い部分だけを残して挿入されるような寸法であることを特徴とする。その結果、折りたたんだ状態では、４つのパイプ部分を有する折りたたみポールの場合、上２つの部分はほぼ完全に互いに押し込まれており、下２つを組み立てずに引っ張りケーブルを介してのみ互いとつないで、ジグザグに並べて配置することができる状態が実現される。これにより、最小限に小さいパックサイズが可能となる。
【００２２】
さらに好ましい実施形態によると、引っ張りケーブルが留められる（又は引っ張った状態でこの要素と軸方向に接触する）軸方向に固定された保持要素（通常、固定ピン）を設けることにより、一番下のパイプ部分に及び／又は一番上のパイプ部分に引っ張りケーブルが固定される。この固定は、好ましくは、折りたたみポールの調節可能な長さに合わせて変えられ、例えば、組み立てた状態で軸方向に保持要素と接触する、ほどくことのできる結び目（又は終端ピン、終端玉又は同等のもの）により実現される。あるいは、中間領域の引っ張りケーブルの長さを調節可能に構成して、折りたたみポールの長さを調節可能にすることができる。
【００２３】
本発明の構造のさらなる好ましい実施形態は、保持要素での引っ張りケーブルの留め付けが、好ましくは、保持要素内又は保持要素上に、その内部を通って引っ張りケーブルが延びるように配置されるバネ又は弾性要素、例えば、渦巻バネを設けて、弾性的にバネが付けられるように構成されることを特徴とする。このバネ付けされた構造には、外部クランプ機構の固定時に生まれる引っ張りケーブルの軸方向の張力が、長い間確実に保持され、例えば、上２つのパイプ部分がそれらの相対的な軸方向位置においてわずかに互いへと移動されるときも減らないという利点がある。
【００２４】
引っ張りケーブルを少なくとも部分的に、好ましくは長手方向の長さ全体にわたって、いくらか伸縮性があるように構成することによって、実質的に、同じ効果を生み出すことができる。
【００２５】
特に好ましい実施形態によると、保持要素は、保持要素の上端に取り外し可能に固定できる閉鎖要素を有する。この閉鎖部分は、好ましくは、引っ張りケーブル用の軸方向貫通口を有する。
【００２６】
特に好ましい実施形態によると、閉鎖要素は、好ましくはプラスチックから形成され、ヘッド部分とネック部分とを有し、このネック部分は好ましくは保持要素の上端部に挿入することができ、外ねじ付き孔によりねじ留めできるか、又は、バヨネット閉鎖により差し込んで回転しないようロックすることができる。そのため、保持要素は、好ましくは、その上側領域に内ねじ付き孔を有する。特に好ましい実施形態によると、閉鎖要素は、渦巻きバネの軸方向上側に配置される。好ましくは、渦巻きバネと閉鎖要素との間に停止要素としてガイド要素が配置され、このガイド要素は、渦巻きバネ上に放射状フランジを用いて載り、軸方向ガイド部分を用いて渦巻きバネ内に突入する。停止要素の放射状フランジは、ここでは、閉鎖要素のために、はっきりとした停止面又は接触面として機能する。下部ケーブル接続部、つまり、ガイド要素、渦巻きバネ及び閉鎖要素とともに下部に結び付けられた引っ張りケーブルは、こうして、使用者がポールパイプから簡単に取り外せる１つのユニットを形成する。ケーブルを交換するために、使用者は、閉鎖要素を保持要素からはずし、前記ユニットを取り外し、引っ張りケーブルの下端の結び目をほどく。こうして、ケーブルを、好ましくは取っ手のヘッドを通して、上から引き抜くことができる。ここに提案される折りたたみポールのさらなる好ましい実施形態は、前記その他の差し込み式接続部が、一方のパイプ部分上に、引っ張りケーブル用の軸方向に延びる中央貫通口を備えたガイドピンを有し（好ましくは、プラスチックから成る一部品）、このガイドピンは、固定部分を用いてこのパイプ部分にしっかりと固定され、且つ、これと軸方向反対側に、他のパイプ部分に滑り込ませることのできるピン領域を有し、固定部分とピン領域の間には、好ましくは環状の放射状外側に向いた接触フランジが設けられ、このフランジは、組み立てた状態で、もう一方のパイプ部分のパイプ端及び／又はその上に設けられたパイプ閉鎖スリーブと軸方向に接触し、好ましくは、この軸方向停止部が、ポール軸周りに非対称に構成され、及び／又は、さらに好ましくは、このピン領域が、前記もう一方のパイプ部分の方を向くその端部に、少なくとも部分的に円錐に先細る領域を有することを特徴とする。
【００２７】
既に最初に述べたように、提案する構造は、ポールの先端部が、好ましくは、ポール軸に対し非対称な減衰緩衝器、又は、非対称な終端プレート（特にノルディックスポーツの用途に見られる）を、ポール先端部に回転しないように固定することにより非対称に構成される場合、及び／又は、ポールの取っ手がポール軸に対し非対称に構成される場合、特に大きな利点を有する。
【００２８】
（クレーム１３）
ポールの取っ手部は、通常、好ましくは、例えば、特に、ハンドループ又はグローブの形をした手保持装置を固定するためのフック状の装置を有する非対称なポール取っ手部を有する。このフック状の装置の領域には、移動可能な又はねじり可能な係合手段が、フック状の装置にほぼ上から滑り込ませた、手保持装置上に設けられるループ形、リング形又はアイレット形の装置をフック状の装置内に自己係合的に固定するように配置され、好ましくは、前記フック状の装置が、ポールの取っ手部の上部領域の手側に配置され、及び、さらに好ましくは、このフック状の装置が、ポール軸にほぼ平行に配置される保持心棒又は保持ピンを有し、この保持心棒又は保持ピンが、取っ手部の本体から手側にずれて挿入スロットを形成するか、又は、取っ手部本体に切り口として配置され、この挿入スロットの深さは、好ましくは、保持心棒又は保持ピンの幅及び太さより大きい。具体的に言い換えれば、これは、特に好ましくは、ＷＯ２００６／０６６４２３に開示されるポール取っ手部を含む。ポール取っ手部に関しては、この文献の開示を明確に本出願の開示内容に含む。
【００２９】
さらなる好ましい実施形態によると、ポール取っ手部は、例えば、ＥＰ２１６８６４１に開示されるように、人間工学的に構成される。特に有利な実施形態によると、ポールの取っ手部は、取っ手ヘッド上に、取り外し可能なカバーを有する。取っ手ヘッドは、好ましくは、下端に軸方向の貫通口を有し、これを通って、引っ張りケーブルの上端が取っ手ヘッド内に突入している。上部ケーブル接続は、例えば、引っ張りケーブルの上端に結び目を作ることにより構成することができる。カバーを取り外すことにより、使用者は、引っ張りケーブルの上端を掴むことができ、ポールの取っ手部を分解することなく、ポールから引っ張りケーブルを引き抜くことができる。
【００３０】
さらなる好ましい実施形態によると、非対称のポール先端部は、先端部本体と緩衝器とを有し、先端部本体及び／又はポール本体の最下部は、緩衝器の中央開口部を通り抜けて配置され、緩衝器は、この中央開口部内のポール本体に対し軸方向に固定できるように移動可能に取り付けられ、緩衝器は、ポール本体に関して係合接続により軸方向に異なる少なくとも２つの位置にて固定でき、このとき、好ましくは、先端部本体はラッチ連結リンクを有し、このラッチ連結リンクに、緩衝器に取り付けられたラッチ本体が軸方向の位置を固定するために確実に係合でき、ラッチ本体は、旋回可能に及び／又は移動可能に及び／又は固定して、緩衝器の中又は緩衝器上に取り付けられ、特に好ましくは、ラッチ本体は、外側にヒンジ付けされたラッチレバーの形で構成され、このラッチレバーは、緩衝器の非対称な転がり面の方に向くその下端で外側スリーブ上にヒンジ付けされ、その上端で、緩衝器の固定位置にて、ポールパイプ及び／又は内側スリーブを少なくとも部分的に確実に取り巻き、解除するには、外側スリーブから離れる方へ旋回させることができる。具体的に言い換えれば、これは、具体的にはノルディックウォーキング使用のために構成されたポール先端部、例えば、ＷＯ２００８／０３７０９８に記載のようなものを含む。ポールの先端部の構造に関しては、この文献の開示を明確に本出願の開示の内容に含む。
【００３１】
このような折りたたみポールのさらなる好ましい実施形態は、外部クランプ機構の場合、この外部クランプ機構が、パイプ部分を、少なくとも軸方向部分においてほぼ直接的に包み込み、且つ、閉鎖状態において締め付けるプラスチックスリーブを備え、このプラスチックスリーブは、少なくとも、パイプ部分の周囲に係合する領域において、この領域のプラスチックスリーブの周囲を可変とする、少なくとも1つの軸方向のスロットを有し、且つ、この残りの軸方向領域においてほぼ環状になるように構成され、プラスチックスリーブのこのスロットの両側には、それぞれ１つの突起が配置され、これらの突起は、パイプ部分の軸にほぼ垂直に配置される同軸の貫通穴を有し、この穴を通って、横ピンが係合し、このピンは、第２の突起の外側に停止部を有し、且つ、第1の突起の外側に、前記横ピンの軸に垂直でパイプ部分の軸に平行に配置されるクランプレバー用の回転軸を有し、このクランプレバーはレバーアームを有し、このレバーアームは、クランプ装置が閉じられると、少なくとも部分的にプラスチックスリーブを取り巻き、前記クランプレバーは、回転軸の周りに偏心する回転領域を有し、これを用いて、前記停止部と、第1の突起の外側に配置されるクランプ用の合わせ面との間の距離を、クランプレバーを閉鎖位置に旋回させることによって減らすことができ、好ましくは、前記合わせ面は、少なくとも部分的に第1の突起の凹所内に配置される金属要素の形で構成され、さらに好ましくは、前記合わせ面は、平面として、又は、曲率半径が前記回転領域の曲率半径にほぼ適合する陥凹面として構成され、さらに好ましくは、前記プラスチックスリーブがその上部部分に、少なくとも２つ、好ましくは少なくとも３つの軸方向に延びるスロットを有し、これらのスロットの少なくとも１つは、前記２つの突起の間に配置され、好ましくは、これらのスロットは、外周の周りに均一に分配され、さらに好ましくは、前記停止部が、調節可能に構成され、好ましくは、この停止部はねじ山を備えた構造で、前記横ピンはこれにかみ合うねじ山を備えた構造であり、前記停止部は、ナット又はねじとして構成され、好ましくは環状のギザギザ及び／又はくし状及び／又は調節道具の係合のための溝を備える。換言すると、これは、好ましくは、例えばＷＯ２０１０／０８５９０５で配置されるようなクランプ機構を含む。クランプ機構に関するこの文献の開示を、明確に、本出願の開示内容に包含する。
【００３２】
折りたたみポールが、ケーブル引っ張りのために、外部クランプ機構の代わりにスナップ式係止装置を有する場合、このポールは、全面的に長さ調節ができるように構成することができる。長さ調節機構は、先の段落に記載したような力嵌め（force  fit）により作用する外部クランプ機構であってもよい。好ましくは、クランプ機構は、第２のパイプ部分を伸縮自在に長さ調節するために使用され、このため、第１のパイプ部分上に固定される。好ましくは、下側の中間パイプ部分が、長さ調節できるように構成される。折りたたみポールが長さ調節可能に構成される場合、折りたたみポールは、好ましくは第１のパイプ部分の上側につなげて、付加的なパイプ部分を有し、この付加的なパイプ部分に、ポールの取っ手が固定される。このとき、外部クランプ機構は、一番上のパイプ部分に固定される。
【００３３】
ポールパイプは、好ましくは、実質的にアルミニウム又はカーボンからなり、カーボン構造の場合、個々のパイプ部分の移行領域は、例えばアルミニウム製の安定化スリーブを用いて補強される。
【００３４】
さらなる実施形態は従属請求項に記載する。
【図面の簡単な説明】
【００３５】
【図１】図１は、折りたたんだ状態での、４つのパイプ部分をもつポールの図である。下側２つのパイプ部分は、組み立てずに、引っ張りケーブルを介してつながれているだけであり、２つの上側パイプ部分はできる限り互いの中に押し込まれて、外部クランプ機構により、これらの軸方向の位置で互いに対し固定されている。
【図２】図２は、ａ）に、組み立てた状態での図１の折りたたみ式ポールの軸方向断面図を示し、ｂ）に、ポールの取っ手部の領域を示すが、ポールの取っ手の部分の中央領域のみを断面図で示し、図の下側領域と最上領域は側面図で示す。ｃ）からｅ）は、図２ａ）のＸ，Ｙ又はＺの図である。
【図３】図３は、差し込み式接続部の考えられる回転防止装置の異なる斜視図であり、ａ）及びｃ）からｅ）による実施形態では、図がよく分かるように、差し込み式接続部の実際のガイドピンを省いてある。ｂ）のようなものは又、ガイドピンに付加的に設けてもよいし、そうでなくてもよい。
【図４】図４は、折りたたんだ状態での第２の好ましい実施形態によるポールの図であり、ポールはケーブルを引っ張るために外部クランプ機構の代わりにスナップ式係止装置を有する。
【図５】図５は、ａ）に、組み立てた状態での、図４の折りたたみ式ポールの軸方向の断面図を示し、ｂ）に、Ｖの、第１のパイプ部分と第２のパイプ部分の間の、ケーブル引っ張りのために使用される係止機構の領域の断面図を示し、ｃ）に、図５ａ）に示すＵの図を、ｄ）に、図５ａ）に示すＴの図を示す。
【図６】図６は、折りたたんだ状態での、第３の好ましい実施形態によるポールの図であり、ポールは、ケーブル引っ張りのためにスナップ式係止装置を、長さ調節のために外部クランプ機構を有する。
【図７】図７は、ａ）に、組み立てた状態での、図６による折りたたみ式ポールの軸方向の断面を、ｂ）に、長さ調節のために使用される外部クランプ機構の領域と、上部ケーブル接続の領域の断面図を、ｃ）に、図７ａ）に示すＲの図を、ｄ）に、図７ａ）に示すＱの図を、ｅ）に、図７ａ）に示すＰによる図を示す。
【図８】図８は、図５ｂ）及び７ｃ）による終端ピンの部分的軸方向断面を、それぞれａ）及びｂ）に示し、ａ）には、スナップ式係止装置を未作動状態で、ｂ）には作動状態で示す。
【発明を実施するための形態】
【００３６】
本発明の好ましい実施形態を、図を参照して以下で説明するが、これらは単に説明のためのものであって、本発明を限定するものとして解釈されるべきではない。
【００３７】
図１及び２に、４つのパイプ部分７−９を有する折りたたみ式ポール１の例示の実施形態を示す。図１は、このような折りたたみ式ポール１を折りたたんだ状態、つまり、上２つのパイプ部分は十分に互いに押し込まれており、その近傍に、下側の２つのパイプ部分が折りたたまれて配置されている状態を示し、図２は組み立てた状態でのポールを示す。
【００３８】
具体的には、該ポールは一番上のパイプ部分７を有し、この一番上にポール取っ手部２が取り付けられている。このポール取っ手部２は、ここでは、非対称に構成され、走行方向前方に向かって一番上が傾斜するように構成されており、そこには手保持装置用の保持機構のためのトリガーヘッド５があり、場合により後方に、スロット４をその前に配置したピンの形に形成される保持突起３がある。言い換えると、これは、例えばＷＯ  ２００６／０６６４２３から公知の、そして、例えばＷＯ  ２００６／０６６４２４から公知のグローブ又はハンドループ、つまり、親指と人差し指の間にループがある手保持装置とともに利用できるようなポール取っ手部を含み、このループを保持突起３を介して案内して、自己係合的にスロット４でロックすることができる。ポール取っ手部は、さらに、取っ手領域６を有し、これは、通常、掴みやすいコーティングを有する領域として構成される。
【００３９】
この一番上のパイプ部分の下端には、外部クランプ機構１０が配置され、このパイプは、基本的に、アルミニウム又は炭素複合材料からなるパイプを含むことができ、このことは、全てのパイプ部分に当てはまる。この具体的なケースでは、これは、ＷＯ  ２０１０／０８５９０５から公知の外部クランプ機構を含むが、ＥＰ  ０９８  ８９８又はＥＰ  １  ２１７  ２２４に記載のクランプ機構を含むこともできる。
【００４０】
この具体的なケースでは、クランプ機構１０の上部領域は、通常プラスチックからなる環状の保持領域１３によりパイプ部分７に固定されており、上部パイプ部分７は、領域１３の下側に配置されるスリーブの実際の締め付け領域により、外側パイプ７をその中に挿入される内側パイプ８にしっかりと締め付けることができ、それゆえ、この２つの間に力嵌め接続を生むことができるように、取り囲まれた領域、特に保持領域１３の下側に、軸方向に伸びるスロットを有する。
【００４１】
これに応じて、環状の保持領域１３の下側には、スロットの付いた締め付け領域１４があり、スロットは２つの突起の間で延び、この突起を、クランプ軸１２を形成する横に延びるピンが通り抜ける。このピンは、例えばナットを用いて後側で固定され、ここでは、前側に描かれる面上で、前記ピンは、レバー１１のための旋回点を形成する横軸を介して、レバーと連結される。レバー１１はその支点に、偏心器として形成される２つのフォーク形の延長部を有し、その結果、レバーをポールパイプの周りに配置するか又はクランプ装置の周りに取り付けた場合、ここに示されるようにクランプレバー１１を締め付けた状態では、スリットが大幅に先細って締め付けが起こり、レバーを外側に折り返すと、偏心器がこの２つの突起部をいくらか拡張しクランプを緩めるため、この締め付けが弱まる。
【００４２】
一番上のパイプ部分７には、２つの中間パイプ部分の上側の方８が内側から押し込まれる。従って、具体的には、この上側中間パイプ部分８の外径は、一番上のパイプ部分７の内径よりわずかだけ小さく、その結果、最小限の遊びをもって、確実に移動可能となる。これにより、一番上のパイプ部分７は、それ自身の中に、中間のパイプ部分の上側８を出来る限り深くまで受け入れ、出来るだけ小さいパックサイズを維持する。通常は、パイプ部分８は、上部固定ピン２７に当たるまで押し込まれる。この固定ピンについては図２ｂと関連して以下でさらに詳しく説明する。
【００４３】
２つの中間パイプ部分の上側８には、いわば折り返して、別の下側中間パイプ部分８’が続き、上側中間パイプ部分８と同じパイプ径を有する。その間には、ここでは接続されていない差し込み式接続部１７が設けられており、この差し込み式接続部１７はガイドピン４９を有し、このガイドピンは先端で円錐状に先細る１８ように構成される。このガイドピン４９は、２つのパイプ部分の下側８’に固定され、固定領域３７を介してその中に差し込まれている。もう一つのパイプ部分８は通常、とりわけ、パイプ端部を保護するために、しかしながら回転を固定するためにも、上部パイプ終端スリーブ１５を有する（以下を参照）。
【００４４】
２つの中間パイプ部分の下側８’の反対側の端部には、そのパイプ自身、下部パイプ終端スリーブ１９が設けられる。さらに、これに一番下のパイプ部分９が、折り返した状態で続き、この場合、このパイプ部分はダブルバテッドパイプであり、最上部分で２つの中間パイプ部分８，８’と同じ直径を有するが、下部に向かって先細る。
【００４５】
この一番下のパイプ部分９の下端には、ポール先端部２３が固定されており、このポール先端部は非対称に構成されている。すなわち、最下部領域には、後方に向かって先が細くなる斜めのゴム緩衝器２５を有し、このゴム緩衝器は、ここでは、少なくとも２つの位置の間で調節することができるという意味において調節可能に構成される。具体的には、これは、硬い先端部２４がゴム緩衝器２５内の穴を通り抜けて配置されるここに示された位置であり、これは氷に覆われた表面や砂利混じりの土に適する。しかしながら、調節レバー２６を右に傾けると、緩衝器は下方に移動し、調節レバー２６を再び折りつけてそこに固定することができ、その結果、この位置にて、先端部２４がある程度緩衝器２５の開口部内に入り込んで見えなくなり、そのため、非対称な緩衝器の転がり面だけが地面と接触するようになる。後者の操作位置は、とりわけタール表面等に対し特に有利である。何故なら、煩わしいガチャッという音や先端部の衝突の不愉快な硬い衝撃がもはや起こらないからである。言い換えると、これは、例えば、ＷＯ  ２００８／０３７０９８や、出願番号ＣＨ  ００５３３／１０を有する、２０１０年４月１４日付けのスイス国出願の優先権を主張する国際出願ＷＯ  ２０１１／１２８２３１から公知の先端部を含む。
【００４６】
一番下のパイプ部分９も同様に、その上端に、既に説明した場合と実質的に同一に構成される差し込み式接続部１７を有する。つまり、先端部が円錐状に先細る１８ように構成され、且つ、下側の中間パイプ部分８’の下端に挿入できるような外径を有するガイドピン４９がある。
【００４７】
個々のパイプ部分は、可撓性であるが伸びにくい引っ張りケーブル１６を介しており、このケーブルは、例えば、ダイニーマ、ケブラー等の耐伸長合成繊維からモノフィラメント及び／又はブレード及び／又は被覆されて構成される。場合により被覆されたワイヤケーブルから成っていても良く、０．５〜６ｍｍの太さ、好ましくは１〜３ｍｍの太さ、特に好ましくは１〜２ｍｍの太さを有することができる。引っ張りケーブルの引き裂き強度を保証するために、例えば、好ましくはダイニーマから成る、平行に並べられた複数の単繊維を含む多繊維を任意で担体材料に入れる、又は、例えばダイニーマから成る複数の編組にした単繊維を含む多繊維を任意で個別に及び／又は編んだものとして担体材料内に入れる。鎖状の引っ張りケーブルであってもよい。これにより、個々のパイプ部分８’及び９は、互いの中に押し込まれた２つの上側パイプ部分７，８にこの位置にてたるませて接続される。これは、運搬に有利であり、個々の部分を紛失するのを防ぐ。引っ張りケーブル１６には、部分的に、特に折りたたみのために設けられる部分に、好ましくはホースの一部の形をした保護シース、又は、例えばプラスチックから成る直接吹き付けた保護スリーブを設けることができる。
【００４８】
引っ張りケーブルのバネ付けを不要にするために、弾性的に伸縮可能な引っ張りケーブルを用いることもでき、その場合、例えば、ケーブルをナイロン製の単繊維ポリアミドコードやゴムコードで形成することもできるし、又は多芯編組シースゴムコードを用いることもできる。
【００４９】
図２ａは、組み立てた状態、つまり２つの下側のパイプ部分８’及び９を互いに差し込んで、２つの上側のパイプ部分７，８をできる限り互いから引き離したときの、このポールの軸方向の断面を示す。ポールは、図１に示すような折りたたんだ位置から、一番下のポールパイプ部分９を、差し込み式接続部１７を介して２つの中間パイプ部分の下側８’に差し込み、その後（又は前もって）中間部分８’を対応する差し込み式接続部１７を介してもう一方の中間部分８に差し込み、そして、その後、レバー１１を緩めて外部クランプ機構１０を解除し、パイプ７からパイプ８を引き出すことによって、図２ａの互いに差し込まれた位置へと移行させることができる。パイプ７からのパイプ８の引き出しは、図２ａに示すように、引っ張りケーブル１６が張力を受けるまで行われる。なぜなら、引っ張りケーブル１６は、一番下のパイプ部分９と一番上のパイプ部分７の内部に留め付けられているからである。ポールは、再び外部クランプ機構１０を固定することによって、この位置で固定される。それ自体は１つの軸方向でのみ固定されるパイプ部分８と８’又は８’と９の間の差し込み式接続は、これによって、他の軸方向でも固定され、完全に安定した状態となる。
【００５０】
図２ｂを参照して、この状況をさらに説明する。ここでは、一番上のパイプ部分７の内部に固定される上部固定ピン２７を用いて、どのように引っ張りケーブルがポール取っ手部２の内部に保持されるのかが分かる。このために、上部固定ピンは、上方に拡張領域２９へと拡がる貫通口２８を有する。引っ張りケーブル１６は下から中央貫通口２８を通って延び、拡張領域２９に固定結び目３０が配置される。それに応じて、この結び目（玉、ねじニップル、ピンチスリーブ、又は、成形又は溶接によって形成されたヘッド、又は他のタイプの厚み部によっても実現できる）は、領域２９及び２８の間の肩部にしっかりと載っており、これにより、引っ張りケーブル１６を固定する。引っ張りケーブル１６は、理想的には、実質的にポール軸３２上に張りわたされた状態で延びる。
【００５１】
図２ｃには、外部クランプ固定の位置での締め付け領域を示す。ここでは、上部中間パイプ部分８が、好ましくは、特にカーボンパイプの場合には、パイプの最上端部を保護するために、終端ピン３４を有することを確認することができるが、このピンは中央貫通口３５を持たなければならず、その結果、引っ張りケーブル１６は実質的に抵抗を受けずにこれを通って延びることができる。引っ張りケーブル１６は、この調節領域を通り抜けて実質的に障害なく内側空間３１で延びる。
【００５２】
図５ｂ及び７ｃは、別の例示の実施形態を示し、外部クランプ機構１０の代わりに、ラッチ機構によりケーブルが引っ張られる。図７ｂに示すクランプ機構は、図２ｃに示すものと類似であるが、第２のパイプ部分８’の上部部分の長さ調節の機能を果たす。ここには、引っ張りケーブルの上部結合が示される。引っ張りケーブルは、その上端に結び目が作られ、この結び目は、引っ張りケーブルが、終端ピン３４の貫通口３５を通り抜けることを防ぐ。
【００５３】
さらに、図８に示すように、終端ピン３４は、溝５４を有し、この溝の中へと、板ばね５２の上端が突出し、溝の中に、ここではとげのあるフック５５を用いて自己拘束的に固定されている。係止ピン５１は、板ばね５２の下側端部に固定され、例えばリベット留めされる。この係止ピンに圧力がかかって、ラッチ機構が半径方向に解除されると、板ばねが引っ張られ、係止ピン５１が少なくとも部分的に貫通口３５を通ってポールパイプの内部空間３１へと入り込む。
【００５４】
図５ｂ及び７ｃの２つの別の例示の実施形態では、第２のパイプ部分８は、それぞれ、引っ張りケーブルのための軸方向の貫通口３５を有する終端ピン３４を有する。組み立てたポールでは、終端ピン３４のヘッド３４ａは、第２のパイプ部分８に上方でつながる第１のパイプ部分７に挿入され、同時に、カラー３４ｃが第２のパイプ部分８の上端部に載り、ネック部分３４ｂにて、第２のパイプ部分８の上端へと突入している。このネック部分３４ｂは、第２のパイプ部分８に固定される挿入要素６２の上端に当たる。挿入要素６２は、第２のパイプ部分８の内壁上にその外壁で当接し、第２のパイプ部分８の貫通口と一直線になる又は一致する貫通口５３を有するため、係止ピン５１は、この貫通口５３を通り抜けて、ポールパイプの内部空間３１からこのパイプを通って外側へと突出することができる。
【００５５】
図４及び５ａ又は６及び７ａに示す例示の実施形態によるポールは、人間工学的な形をしたポール取っ手部２を有し、この取っ手部のヘッド５７は、開けたり取り外したりできるカバー５８を有する。このカバー５８を開けたり取り外したりすると、上述の結び目３０又は引っ張りケーブル１６の上端に、取っ手部のヘッド５８内の空隙を通って触れることができ、これと、上述の下部ケーブル接続部の構造により、引っ張りケーブルが摩耗した場合の取り替えが可能となる。
【００５６】
図２ｄは、図２ａ中のＹの領域を拡大した図である。ここでは、差し込み式接続部１７が具体的にどのように構成されるかが確認できる。実際の差し込み式接続要素は、通常プラスチックからなり、一体的に形成されるが、固定領域又は固定部分３７を用いて、２つの中間パイプ部分の下側８’に固定される。この固定部分は、例えば、パイプ内にしっかりと接着される及び／又はしっかりと締結され、このために、この図に示すように、環状の凹所を有することができる。この固定領域３７に隣接して、上側には、円周のフランジ２１があり、これは、一方で、固定領域３７の下側ポールパイプ８’への挿入深さを制限し、他方で、上側パイプ部分に対する軸方向の停止部を画定する。この円周フランジ２１の外径は、この図に示すように、実質的にパイプ部分の外径に相当するが、より大きくてもよく、例えば、上方に配置されるパイプ部分の下端にある下部パイプ終端スリーブ１９の外径に相当することもでき、これは、特に図３に関連して述べた、部分２１との相互作用において、回転しないように固定した回転位置を確実にする。
【００５７】
実際のピン領域４９は、円周フランジ２１の上側に確認できる。このピン領域４９は、上方に配置された中間パイプ領域８の最下部領域に差し込まれるように設けられ、２つのパイプ部分がポール軸に対し軸方向にできるだけ安定的に配置されることを保証するように設けられる。差し込み式接続は、上部パイプ部分８を要素２１に当たるまでしか下部パイプ部分８’に差し込むことができないということを保証するだけであり、再び引き離されないということを保証するのではなく、上述のように、引っ張りケーブル１６を引っ張ることにより保証される。中央の軸方向貫通口３６は、差し込み式接続部１７全体を通って延び、この貫通口は、引っ張りケーブル１６が、差し込み式接続部１７によって妨げられず、摩擦なく通り抜けることができるほどに十分大きくなければならない。
【００５８】
図５ｃ及び７ｄによる別の例示の実施形態のように、差し込み式接続部１７を、２つの部分からなるように構成することもできる。ピン領域４９は、円錐に先細る領域１８を有するヘッド部分を有し、固定部分の上部部分へとネック部分にて突入する。この場合、ピン領域４９は、例えば、プラスチックからなってよく、固定領域３７はアルミニウムからなってよい。図５ｃ及び７ｄに示す例示の実施形態では、差し込み式接続部１７は、ピン領域４９と固定領域３７の間に円周フランジ２１をもっておらず、その結果、２つのパイプ部分８’及び９は、ずれることなく互いに当接する。ここでは、２つのパイプ部分が互いに当接する領域は、パイプ終端スリーブ１９により包み込まれる。あるいは、ピン領域に、差し込み式接続部を互いに押し込むことができるが、２つの部分の間に存在する遊びを十分に最小化することのできる手段を設けることができる。この場合、例えば、周辺に配置された環状の溝に差し込まれたＯリング、又は同じ効果を有する他の手段が考えられる。
【００５９】
一番下のパイプ部分９と２つの中間パイプ部分の下側８’との間の差し込み式接続部の下部を、図２ｅに示す。図２ｄ）と関連して記載したものと同じ差し込み式接続部１７を、ここに設けることもでき、引っ張りケーブル３６を貫通口３６の下端で結び目を用いて単に固定することもできるが、ここでは、バネ荷重機構を用いている。具体的には、バネ弾性要素（ここでは渦巻きバネ３９）が差し込み式接続部１７の拡張領域３８にはめ込まれている。この渦巻きバネ３９は、ガイド要素４０、又はその放射状のフランジ４２を介して、差し込み式接続部１７の肩部に、その上端部で当接し、渦巻きバネ３９の内径を、ガイド要素４０の軸方向ガイド部分４３を通して案内する。引っ張りケーブル１６は、渦巻きバネ３９の内側空間を通って延び、下側ガイド要素４１又は終端要素に留めつけられる。このために、終端要素４１もまた、少なくとも部分的に渦巻きバネ３９に又はその内側空間に係合する軸方向ガイド部分４３と、下側に配置され好ましくは環状に構成される放射状のフランジ４２とを有し、このフランジが、一方で、渦巻きバネ３９のための支持部として、他方で、結び目３０のための支持部として働く。これは、引っ張りケーブル１６の弾性的な取り付けをもたらし、ポールを組み立てた状態で固定するとき、引っ張りケーブル１６が上方へ引っ張られることにより、このバネ３９が対応していくらか圧縮されると、例えば、上２つのパイプ部分７，８が軸方向に互いに向かっていくらか好ましくない移動をしても、又は、例えば、引っ張りケーブル１６が水分の変動及び／又は温度変化の結果、その長さがいくらか変動しても、引っ張りケーブル１６が常にほぼ均一な張力下におかれることが保証される。従って、これにより、全体構造の改良された保持効果がもたらされる。
【００６０】
図５ｄ及び７ｅに示す例示の実施形態では、差し込み式接続部１７は、保持要素３７と閉鎖要素５６からなる２つの部分に形成される。この場合、閉鎖要素５６は、ネック部分５６ｂに外ねじ孔を有し、内ねじ孔を有する保持要素３７の上端部にねじ込まれる。閉鎖要素は、この場合、差し込み式接続部のピン領域４９又はパイプ部分８’及び９の間のガイドピン１７と同様に構成できる。図５ｄ及び７ｅには示していないが、図２ｅに示す上部停止要素４０と同様の上部停止要素を、閉鎖要素５６と渦巻きバネの間に配置すると有利である。閉鎖要素５６は、保持要素又は差し込み式接続部１７から取り外すことができるため、引っ張りケーブル１６を、単に、下端の結び目をほどいて、引っ張りケーブルを軸方向の貫通口すべてを通して引っ張り、交換し、再び中にとおし入れて結ぶことによって交換することができる。ここでは、保持要素３７は、内ねじ孔を有する上部領域と、下部パイプ部分９の上端に当接するための肩部を備える中間領域と、下部パイプ部分の上端での差し込み接続を効果的に保持するための下部領域とを有する。図１からわかるように、ポール取っ手部とポール先端部はともに、非対称に構成される。従って、ポールが適切に使用され得るためには、これら２つの要素が、これらの回転位置を決定されなければならず、具体的には、これらは、図２ａに示されるこれらの回転位置に配置されなければならない。こうすると、地面を歩く際のゴム緩衝器２５の理想的な転がりだけが起こる。従って、この相対的な回転位置は、保証されなければならない。簡単な差し込み式接続を用いる場合、下部パイプ部分は使用時互いに対しねじれることを排除することができず、その結果、ポールの取っ手部とポールの先端部の間の正しい相対的な回転位置はもはや確保することができない。従って、パイプ終端スリーブ１５又は１９、及び差し込み式接続部１７上の対応する停止面は、これらが係合によりねじれないように固定されるよう構成されることが好ましい。これには、図３に示す様々な可能性がある。例えば、ａ）に示すように、下部パイプ終端スリーブ１９（１５も同様）の軸方向停止面２０を波形として構成し、これに対応して差し込み式接続部１７の要素２１の対応する停止面２２を波形に構成することができる。具体的に図３ａのような構造を選択すると、確実に、パイプ部分の互いに対するねじりが起こらないようにできる。
【００６１】
このような回転位置の固定は、軸方向の停止部を用いて達成することができるが、差し込み式接続部の放射状接触領域によって達成することもでき、これを図３ｂの例として示す。ここでは、互いにかみ合っている領域には、リブ４５と溝４６が備わっており、要素２１の対応する放射状接触領域には対応する溝４７又はリブ４８が備わっている。このような放射状接触領域の構造は、ガイドピン４９に加えて、特定の係合部分４４を用いてここに示すように構成されてもよいし、ガイドピン自体にこのような長手方向に延びるリブを持たせることもでき、例えば、対応する下側パイプ終端スリーブ１９の内側領域に対応する内側ガイド要素を備えてもよい。図３ｃ−ｅ）から分かるように、この係合的な固定を違う方法で得ることもできる。具体的には、例えば、図３ｃ）に示すような波形の歯のある構造を設けることにより、又は、１つの又は図３ｄ）に示すように複数のロック要素又は突起物及び凹所を設けることにより、又は図３ｅ）に示すようにかなり簡単に軸方向の接触面を斜めにすることによって得ることができる。しかしながら、原理的に、例えば、差し込み式接続部の対応する対向部分の１以上の溝に係合する横ピンによって、ねじりに対して固定することもできる。例えば、差し込み式接続部の対向する部分の開口部に係合するさらなる外部ガイドピンも考えられる。
【符号の説明】
【００６２】
１        折りたたみ式ポール
２        ポール取っ手部
３        保持突起
４        スロット
５        解除ヘッド
６        ２のグリップ領域
７        第１のパイプ部分
８        第２のパイプ部分
８’      さらなる中間パイプ部分
９        下部パイプ部分
１０      外部クランプ機構
１１      クランプレバー
１２      クランプ軸
１３      １０の環状保持領域
１４      １０のスロット付きクランプ領域
１５      上部パイプ終端スリーブ
１６      引っ張りケーブル
１７      ガイドピン又は差し込み式接続部
１８      １７の円錐に先細る領域
１９      下部パイプ終端スリーブ
２０      １９の２１への接触面
２１      １７の下側ホルダの接触面
２２      ２１の１９への接触面
２３      ポール先端部
２４      先端部要素
２５      ゴム緩衝器
２６      調節レバー
２７      １６のための保持要素又は上部固定ピン
２８      １６のための２７にある中央貫通口
２９      ２７の上部領域中の２８の拡張領域
３０      １６内の結び目
３１      パイプの内部空間
３２      ポール軸
３３      ワッシャ
３４      終端ピン
３４ａ    ３４のヘッド領域
３４ｂ    ３４のネック領域
３４ｃ    ３４のカラー
３５      ３４中の１６のための軸方向貫通口
３６      １７中の１６のための軸方向貫通口
３７      保持要素又は固定部分
３８      ３９のための３６の拡張部
３９      渦巻きバネ
４０      ３９のためのガイド要素又は停止要素
４１      ３９のためのガイド要素又は終端要素
４２      ４０／４１の放射状フランジ
４３      ４０／４１の軸方向ガイド部分
４４      １９の係合部分
４５      ４４上の放射状外側の軸方向リブ
４６      ４４上の放射状外側の軸方向溝
４７      ２１の内面にある放射状内側の軸方向溝
４８      ２１の内面にある放射状内側の軸方向リブ
４９      １７のピン領域
５０      係止装置
５１      係止ピン
５２      バネ要素
５３      ８及び６２中の半径方向貫通穴
５４      ３４中の軸方向溝
５５      ５２の保持手段
５６      閉鎖要素
５６ａ    ５６のヘッド部分
５６ｂ    ５６のネック部分
５６ｃ    ５６の軸方向貫通口
５７      取っ手ヘッド
５８      ５７のカバー
５９      付加的なパイプ部分
６０      長さ調節のための外部クランプ機構
６１      保護シース
６２      挿入要素、差し込み要素
【図１】
0005945551.tif 000002
【図２ａ）】
0005945551.tif 000003
【図２ｂ）】
0005945551.tif 000004
【図２ｃ）】
0005945551.tif 000005
【図２ｄ）】
0005945551.tif 000006
【図２ｅ）】
0005945551.tif 000007
【図３ａ）】
0005945551.tif 000008
【図３ｂ）】
0005945551.tif 000009
【図３ｃ）】
0005945551.tif 000010
【図３ｄ）】
0005945551.tif 000011
【図３ｅ）】
0005945551.tif 000012
【図４】
0005945551.tif 000013
【図５ａ）】
0005945551.tif 000014
【図５ｂ）】
0005945551.tif 000015
【図５ｃ）】
0005945551.tif 000016
【図５ｄ）】
0005945551.tif 000017
【図６】
0005945551.tif 000018
【図７ａ）】
0005945551.tif 000019
【図７ｂ）】
0005945551.tif 000020
【図７ｃ）】
0005945551.tif 000021
【図７ｄ）】
0005945551.tif 000022
【図７ｅ）】
0005945551.tif 000023
【図８ａ）】
0005945551.tif 000024
【図８ｂ）】
0005945551.tif 000025